(57)【要約】      （修正有）【課題】移動局の処理負荷の増大を回避しつつ移動局の位置する領域ごとの通信品質を高精度に測定する。【解決手段】通信品質測定装置１００の通信品質算出部１４１は、移動局との無線通信を行う基地局から無線通信の通信品質を算出するための情報を収集し、該情報を用いて通信品質を算出する。移動局領域特定部１４２は、移動局の位置情報を測定する測定装置から位置情報を収集し、該位置情報を用いて移動局の位置する領域を特定する。関連付け部１４３は、移動局領域特定部１４２によって特定された領域ごとに通信品質算出部１４１によって算出された通信品質を関連付ける。【選択図】図２
2014099772.tif 000002
【特許請求の範囲】
【請求項１】
移動局との無線通信を行う基地局から前記無線通信の通信品質を算出するための情報を収集し、該情報を用いて前記通信品質を算出する算出部と、
前記移動局の位置情報を測定する測定装置から前記位置情報を収集し、該位置情報を用いて前記移動局の位置する領域を特定する特定部と、
前記特定部によって特定された前記領域ごとに前記算出部によって算出された前記通信品質を関連付ける関連付け部と
を備えたことを特徴とする通信品質測定装置。
【請求項２】
前記特定部は、前記測定装置から前記位置情報の測定時刻をさらに収集し、地図上の複数の地域の中から前記測定時刻が連続する同一の前記移動局の２つの前記位置情報を含む地域を前記領域として特定し、
前記関連付け部は、前記特定部によって前記地域が前記領域として特定されたことを契機として、前記領域として特定された前記地域の識別子に前記通信品質を関連付けることを特徴とする請求項１に記載の通信品質測定装置。
【請求項３】
前記特定部は、前記測定装置から前記位置情報の測定時刻をさらに収集し、前記測定時刻が連続する同一の前記移動局の２つの前記位置情報を前記移動局の移動範囲の始点位置及び終点位置として含む図形領域を前記領域として特定し、
前記関連付け部は、前記特定部によって前記領域として特定された前記図形領域の識別子に前記通信品質を関連付けることを特徴とする請求項１に記載の通信品質測定装置。
【請求項４】
複数の前記領域に対応する地図上の複数の地域に、前記関連付け部によって前記領域ごとに関連付けられた前記通信品質を表示する表示部をさらに備えたことを特徴とする請求項１〜３のいずれか一つに記載の通信品質測定装置。
【請求項５】
前記表示部は、前記関連付け部によって前記図形領域の識別子に関連付けられた前記通信品質を前記図形領域の面積で除算することによって得られる値である通信品質密度を該通信品質密度の大きさに応じて変化する表示態様で前記図形領域上に表示することを特徴とする請求項３又は４に記載の通信品質測定装置。
【請求項６】
前記関連付け部によって前記領域ごとに関連付けられた前記通信品質を外部装置に送信する送信部をさらに備えたことを特徴とする請求項１〜５のいずれか一つに記載の通信品質測定装置。
【請求項７】
前記通信品質は、前記無線通信によって送受信されるデータの通信速度又は該データの通信量であることを特徴とする請求項１〜６のいずれか一つに記載の通信品質測定装置。
【請求項８】
移動局との無線通信を行う基地局から前記無線通信の通信品質を算出するための情報を収集し、
該情報を用いて前記通信品質を算出し、
前記移動局の位置情報を測定する測定装置から前記位置情報を収集し、
該位置情報を用いて前記移動局の位置する領域を特定し、
前記領域ごとに前記通信品質を関連付ける
ことを特徴とする通信品質測定方法。
【発明の詳細な説明】
【技術分野】
【０００１】
本発明は、通信品質測定装置及び通信品質測定方法に関する。
【背景技術】
【０００２】
近年、移動局と基地局との間の無線通信を用いて種々のサービスが提供されている。しかし、通信エリアの環境やノイズ等の影響が大きい場合には、移動局と基地局との間の無線通信の通信品質が劣化し、予め定められた通信品質を満たすことが困難となる事態が想定され得る。
【０００３】
このような事態に対して、移動局の位置する通信エリアごとの通信品質を管理するために、移動局と基地局との間の無線通信の通信品質を測定する技術が種々提案されている。例えば、移動局が基地局との無線通信の通信品質である通信速度を測定するとともに、ＧＰＳ（Global  Positioning  System）機能を利用して得られた位置情報により特定される通信エリアごとに通信速度を対応付ける従来技術がある。また、基地局を制御するＲＮＣ（Radio  Network  Controller）が基地局配下の移動局の数を測定し、通信エリアに予め割り当てられた通信速度の固定値を移動局の数で除算することで得られる通信レートを通信エリアの通信品質として算出する従来技術がある。
【先行技術文献】
【特許文献】
【０００４】
【特許文献１】特開２００３−２４９８８７号公報
【特許文献２】特開２００８−１６０３１０号公報
【発明の概要】
【発明が解決しようとする課題】
【０００５】
しかしながら、上記従来技術では、移動局の処理負荷の増大を回避しつつ移動局の位置する領域ごとの通信品質を高精度に測定することが困難であるという問題がある。
【０００６】
すなわち、移動局が通信速度を測定するとともに通信エリアごとに通信速度を対応付ける従来技術では、基地局との無線通信を行うための処理負荷に加えて通信速度を測定するための処理負荷が発生するため、移動局の処理負荷が増大する恐れがある。
【０００７】
また、ＲＮＣが通信レートを算出する従来技術では、移動局の処理負荷の増大を回避することができるものの、通信速度の固定値を用いて通信品質としての通信レートを算出するため、算出された通信品質の精度を維持することができない可能性がある。
【０００８】
開示の技術は、上記に鑑みてなされたものであって、移動局の処理負荷の増大を回避しつつ移動局の位置する領域ごとの通信品質を高精度に測定することができる通信品質測定装置及び通信品質測定方法を提供することを目的とする。
【課題を解決するための手段】
【０００９】
本願の開示する通信品質測定装置は、一つの態様において、算出部と、特定部と、関連付け部とを備えた。算出部は、移動局との無線通信を行う基地局から前記無線通信の通信品質を算出するための情報を収集し、該情報を用いて前記通信品質を算出する。特定部は、前記移動局の位置情報を測定する測定装置から前記位置情報を収集し、該位置情報を用いて前記移動局の位置する領域を特定する。関連付け部は、前記特定部によって特定された前記領域ごとに前記算出部によって算出された前記通信品質を関連付ける。
【発明の効果】
【００１０】
本願の開示する通信品質測定装置の一つの態様によれば、移動局の処理負荷の増大を回避しつつ移動局の位置する領域ごとの通信品質を高精度に測定することができるという効果を奏する。
【図面の簡単な説明】
【００１１】
【図１】図１は、実施例１に係る通信品質測定装置を含む通信システムの全体構成の一例を示す図である。
【図２】図２は、実施例１に係る通信品質測定装置の一例を示すブロック図である。
【図３】図３は、実施例１における通信品質管理部の一例を示す図である。
【図４】図４は、実施例１における地図データ管理部の一例を示す図である。
【図５】図５は、実施例１における移動局領域管理部の一例を示す図である。
【図６】図６は、実施例１における通信品質分布管理部の一例を示す図である。
【図７】図７は、実施例１における通信品質算出部による処理の一例を説明するための説明図である。
【図８】図８は、実施例１における関連付け処理の一例を説明するための図である。
【図９】図９は、実施例１における通信品質表示部によって生成された表示画面の一例を示す図である。
【図１０】図１０は、実施例１に係る通信品質測定装置を含む通信システムの動作（通信品質算出時）を説明するためのシーケンス図である。
【図１１】図１１は、実施例１に係る通信品質測定装置を含む通信システムの動作（移動局領域特定時）を説明するためのシーケンス図である。
【図１２】図１２は、実施例１に係る通信品質測定装置を含む通信システムの動作（関連付け処理時）を説明するためのシーケンス図である。
【図１３】図１３は、実施例２に係る通信品質測定装置の一例を示すブロック図である。
【図１４】図１４は、実施例２における通信品質管理部の一例を示す図である。
【図１５】図１５は、実施例２における移動局領域管理部の一例を示す図である。
【図１６】図１６は、実施例２における通信品質分布管理部の一例を示す図である。
【図１７】図１７は、基本図形領域の一例を示す図である。
【図１８】図１８は、図形領域Ｐの一例を示す図である。
【図１９】図１９は、図形領域Ｑの一例を示す図である。
【図２０】図２０は、実施例２における通信品質表示部によって生成された表示画面の一例を示す図である。
【図２１】図２１は、実施例２に係る通信品質測定装置を含む通信システムの動作（通信品質算出時）を説明するためのシーケンス図である。
【図２２】図２２は、実施例２に係る通信品質測定装置を含む通信システムの動作（移動局領域特定時）を説明するためのシーケンス図である。
【図２３】図２３は、実施例２に係る通信品質測定装置を含む通信システムの動作（関連付け処理時）を説明するためのシーケンス図である。
【図２４】図２４は、通信品質測定装置のハードウェア構成例を示す図である。
【発明を実施するための形態】
【００１２】
以下に、本願の開示する通信品質測定装置及び通信品質測定方法の実施例を図面に基づいて詳細に説明する。なお、この実施例により開示技術が限定されるものではない。
【実施例１】
【００１３】
図１は、実施例１に係る通信品質測定装置を含む通信システムの全体構成の一例を示す図である。図１に示すように、通信システム１は、コアネットワーク１０と、基地局２０−１，２０−２と、移動局３０−１〜３０−３と、位置情報測定装置４０と、通信品質測定装置１００とを有する。基地局２０−１，２０−２は、上位のネットワークであるコアネットワーク１０と有線接続されている。移動局３０−１〜３０−３は、各基地局２０−１，２０−２との間で双方向の無線通信を行う。また、位置情報測定装置４０は、上位のネットワークであるコアネットワーク１０と有線接続されている。位置情報測定装置４０は、コアネットワーク１０及び基地局２０−１，２０−２を介して移動局３０−１〜３０−３の位置情報をＧＰＳ機能を用いて測定する。通信品質測定装置１００は、基地局２０−１，２０−２及び位置情報測定装置４０と有線接続されている。
【００１４】
通信品質測定装置１００は、基地局２０−１，２０−２から基地局２０−１，２０−２と移動局３０−１〜３０−３との無線通信（以下適宜「無線通信」という）の通信品質を算出するための情報を収集する。そして、通信品質測定装置１００は、収集した情報を用いて無線通信の通信品質を算出する。無線通信の通信品質は、例えば、無線通信によって送受信されるデータの通信速度又は該データの通信量である。無線通信の通信品質は、通信品質測定装置１００に記憶される。
【００１５】
一方、通信品質測定装置１００は、位置情報測定装置４０から各移動局３０−１〜３０−３の位置情報を収集する。そして、通信品質測定装置１００は、収集した位置情報を用いて移動局３０−１〜３０−３の位置する領域を特定する。各移動局３０−１〜３０−３の位置する領域は、通信品質測定装置１００に記憶される。
【００１６】
そして、通信品質測定装置１００は、各移動局３０−１〜３０−３の位置する領域ごとに通信品質を関連付ける。各移動局３０−１〜３０−３の位置する領域ごとに関連付けられた通信品質は、通信品質測定装置１００に記憶される。
【００１７】
次に、実施例１に係る通信品質測定装置の構成について説明する。図２は、実施例１に係る通信品質測定装置の一例を示すブロック図である。図２に示すように、通信品質測定装置１００は、基地局通信Ｉ／Ｆ（InterFace）部１１０と、位置情報測定装置通信Ｉ／Ｆ部１２０と、記憶部１３０と、制御部１４０とを有する。
【００１８】
基地局通信Ｉ／Ｆ部１１０は、基地局２０との間でデータや信号の送受信を行うための通信インタフェースである。例えば、基地局通信Ｉ／Ｆ部１１０は、基地局２０から無線通信の通信品質を算出するための情報を受信する。
【００１９】
位置情報測定装置通信Ｉ／Ｆ部１２０は、位置情報測定装置４０との間でデータや信号の送受信を行うための通信インタフェースである。例えば、位置情報測定装置通信Ｉ／Ｆ部１２０は、位置情報測定装置４０から移動局３０の位置情報を受信する。
【００２０】
記憶部１３０は、制御部１４０による各種処理の実行に用いられるデータやプログラム等を格納する。記憶部１３０は、メモリやハードディスクなどの記憶装置である。記憶部１３０は、通信品質管理部１３１、地図データ管理部１３２、移動局領域管理部１３３及び通信品質分布管理部１３４を有する。
【００２１】
通信品質管理部１３１は、移動局と基地局との無線通信の通信品質を記憶する。図３は、実施例１における通信品質管理部の一例を示す図である。図３に示すように、通信品質管理部１３１は、移動局識別子、測定時刻、通信速度及び最大通信速度を対応付けて記憶する。移動局識別子は、移動局を識別する識別子である。測定時刻は、移動局と基地局との無線通信の通信品質が測定（算出）された時刻である。通信速度は、移動局と基地局との無線通信によって送受信されるデータの通信速度である。通信速度は、無線通信の通信品質の一例である。最大通信速度は、移動局と基地局との無線通信によって送受信されるデータの通信速度の理論上の最大値である。最大通信速度は、通信品質管理部１３１に予め格納されている。
【００２２】
例えば、図３の１行目は、移動局識別子が「ａａａ」である移動局と基地局との無線通信の通信速度が、時刻「12:05:36」において、理論上の最大値「１．５」Ｍｂｐｓよりも低い「３００」ｋｂｐｓであることを示す。
【００２３】
地図データ管理部１３２は、地図上の複数の地域の緯度及び経度を含む地図データを記憶する。図４は、実施例１における地図データ管理部の一例を示す図である。図４に示すように、地図データ管理部１３２は、エリア番号、緯度及び経度を対応付けて地図データとして記憶する。エリア番号は、地図を区分して得られた複数の地域それぞれを識別する識別子である。緯度は、エリア番号によって識別される地域の緯度の範囲を示す。経度は、エリア番号によって識別される地域の経度の範囲を示す。
【００２４】
例えば、図４の１行目は、エリア番号が「Ａ１」である地域の緯度の範囲が「35.730541xx〜35.730641xx」であり、同地域の経度の範囲が「139.712941yy〜139.713041yy」であることを示す。
【００２５】
移動局領域管理部１３３は、移動局の位置する領域である移動局領域に関する情報を記憶する。図５は、実施例１における移動局領域管理部の一例を示す図である。図５に示すように、移動局領域管理部１３３は、移動局識別子、測定時刻、緯度、経度及びエリア番号を対応付けて記憶する。移動局識別子は、移動局を識別する識別子である。測定時刻は、位置情報測定装置４０が移動局の位置情報を測定した時刻である。緯度は、移動局の位置情報としての緯度である。経度は、移動局の位置情報としての経度である。エリア番号は、移動局領域を識別する識別子であり、図３に示したエリア番号に対応する。
【００２６】
例えば、図５の１行目は、移動局識別子が「ａａａ」である移動局が、時刻「１２：２１：３３」において、緯度が「35.730645xx」であり、かつ、経度が「139.712945yy」である位置に存在し、移動局領域がエリア番号「Ａ４」の地域であることを示す。
【００２７】
通信品質分布管理部１３４は、移動局領域に関連付けられた通信品質を通信品質分布として記憶する。図６は、実施例１における通信品質分布管理部の一例を示す図である。図６に示すように、通信品質分布管理部１３４は、エリア番号、測定時刻、通信速度及びサンプル数を対応付けて記憶する。エリア番号は、移動局領域を識別する識別子であり、図５に示したエリア番号に対応する。測定時刻は、移動局と基地局との無線通信の通信品質が測定（算出）された時刻である。通信速度は、移動局と基地局との無線通信によって送受信されるデータの通信速度又は通信速度の平均値である。サンプル数は、通信速度の平均値を求める際に用いられる通信速度のサンプル数である。
【００２８】
例えば、図６の１行目は、エリア番号が「Ａ１」である地域の通信速度又は通信速度の平均値が、時刻「１２：２７：２２」において、「６５０」ｋｂｐｓであることを示す。
【００２９】
制御部１４０は、通信品質測定装置１００を制御する制御部である。制御部１４０は、ＣＰＵ（Central  Processing  Unit）及び該ＣＰＵにて解析実行されるプログラムにて実現される。或いは、制御部１４０は、ＦＰＧＡ（Field  Programmable  Gate  Array）を用いて実現しても良い。制御部１４０は、通信品質算出部１４１、移動局領域特定部１４２、関連付け部１４３、通信品質表示部１４４及び通信品質送信部１４５を有する。
【００３０】
通信品質算出部１４１は、基地局通信Ｉ／Ｆ部１１０を介して基地局２０から無線通信の通信品質を算出するための情報（以下適宜「通信品質算出用情報」という）を収集する。具体的には、通信品質算出部１４１は、図７に示すように、基地局により終端されるＲＬＣ（Radio  Link  Control）レイヤを監視し、通信品質算出用情報を所定の測定時間の間にＲＬＣレイヤから収集する。通信品質算出用情報は、例えば、移動局の識別子、理論上送信可能なＴＢ（Transport  Block）数、再送ＴＢ数を含む実際のＴＢ数、及びＡＣＫ応答を受信したＲＬＣ  ＰＤＵ（Protocol  Data  Unit）中のＵ−Ｐｌａｎｅの総データ量等である。なお、図７は、通信品質算出部による処理の一例を説明するための説明図である。
【００３１】
通信品質算出部１４１は、基地局２０から収集した通信品質算出用情報を用いて無線通信の通信品質を算出する。本実施例では、通信品質算出部１４１は、無線通信の通信品質として、無線通信によって送受信されるデータの通信速度を算出する。ここで、所定の測定時間「Ｔ」ｓｅｃの間に基地局２０のＲＬＣレイヤから収集された理論上送信可能なＴＢ数が「Ｘ」であり、再送ＴＢ数を含む実際のＴＢ数が「Ｙ」であるものとする。また、ＡＣＫ応答を受信したＲＬＣ  ＰＤＵ（Protocol  Data  Unit）中のＵ−Ｐｌａｎｅの総データ量が「Ｍ」ｂｙｔｅであるものとする。Ｘ＝Ｙが成立する場合には、通信品質算出部１４１は、Ｕ−Ｐｌａｎｅのデータが有効であると判断する。すなわち、Ｕ−Ｐｌａｎｅの無線リソースに空きが存在せず、全ての無線リソースが使用されている場合に、通信品質算出部１４１は、Ｕ−Ｐｌａｎｅのデータが有効であると判断する。一方、Ｘ＞Ｙが成立する場合には、通信品質算出部１４１は、Ｕ−Ｐｌａｎｅのデータが無効であると判断する。これは、Ｘ＞Ｙが成立する場合には、Ｕ−Ｐｌａｎｅの無線リソースに空きが存在するため、かかるＵ−Ｐｌａｎｅのデータは通信品質の算出対象から除外されるのが適当であるからである。そして、通信品質算出部１４１は、有効であると判断されたＵ−Ｐｌａｎｅの総データ量と所定の測定時間とを基にして上記通信速度を算出する。通信速度は、以下の式（１）を用いて算出される。そして、通信品質算出部１４１は、算出した通信速度と現時刻とを移動局の識別子ごとに通信品質管理部１３１に格納する。
【００３２】
Ｓ＝Ｍ／Ｔ    ・・・  （１）
ただし、
Ｓ：通信速度（ｂｐｓ）
Ｍ：Ｕ−Ｐｌａｎｅの総データ量（ｂｉｔ）
Ｔ：所定の測定時間（ｓｅｃ）
【００３３】
移動局領域特定部１４２は、位置情報測定装置通信Ｉ／Ｆ部１２０を介して位置情報測定装置４０から移動局３０の位置情報を収集する。具体的には、移動局領域特定部１４２は、移動局３０の位置情報としての緯度及び経度を、移動局３０の識別子及び位置情報の測定時刻とともに位置情報測定装置４０から収集する。そして、移動局領域特定部１４２は、収集した移動局３０の緯度及び経度と位置情報の測定時刻とを移動局３０の識別子ごとに移動局領域管理部１３３に格納する。
【００３４】
移動局領域特定部１４２は、収集した移動局３０の位置情報を用いて移動局領域を特定する。具体的には、移動局領域特定部１４２は、収集した移動局３０の位置情報を地図データ管理部１３２に通知する。そして、移動局領域特定部１４２は、移動局３０の位置情報としての緯度及び経度を含む地域のエリア番号の応答を地図データ管理部１３２から受け付ける。そして、移動局領域特定部１４２は、移動局３０の位置情報と地域のエリア番号とを対応付けて移動局領域管理部１３３に格納することによって、移動局領域を特定する。
【００３５】
ここで、移動局領域特定部１４２が移動局領域を特定する処理の一例を説明する。例えば、移動局３０の位置情報としての緯度が「35.730645xx」であり、経度が「139.712945yy」であるものとする。また、地図データ管理部１３２において、エリア番号「Ａ４」に対応付けて緯度の範囲「35.730641xx〜35.730741xx」と経度の範囲「139.712941yy〜139.713041yy」とが記憶されているものとする。この場合、移動局領域特定部１４２は、移動局３０の位置情報としての緯度及び経度を含む地域のエリア番号「Ａ４」の応答を地図データ管理部１３２から受け付ける。続いて、移動局領域特定部１４２は、移動局３０の位置情報としての緯度及び経度と、地域のエリア番号「Ａ４」とを対応付けて移動局領域管理部１３３に格納することによって、エリア番号が「Ａ４」である地域を移動局領域として特定する。
【００３６】
また、移動局領域特定部１４２は、地図上の複数の地域の中から測定時刻が連続する同一の移動局の２つの位置情報を含む地域を移動局領域として特定する。具体的には、移動局領域特定部１４２は、移動局領域管理部１３３を参照して、移動局識別子が同一となるエントリにおいて測定時刻が連続する同一のエリア番号を検出した場合に、同エリア番号に対応する地域を移動局領域として特定する。そして、移動局領域特定部１４２は、測定時刻が連続する同一の移動局の２つの位置情報を含む地域が移動局領域として特定された場合に、その旨を関連付け部１４３に通知する。
【００３７】
関連付け部１４３は、移動局領域特定部１４２によって特定された移動局領域ごとに通信品質算出部１４１によって算出された通信品質を関連付ける。具体的には、関連付け部１４３は、測定時刻が連続する同一の移動局の２つの位置情報を含む地域が移動局領域として特定された旨の通知を移動局領域特定部１４２から受け付けると、この通知を契機として、同地域の識別子に通信品質を関連付ける。そして、関連付け部１４３は、移動局領域（すなわち、地域の識別子）に関連付けられた通信品質を通信品質分布として通信品質分布管理部１３４に格納する。
【００３８】
ここで、移動局領域特定部１４２及び関連付け部１４３による関連付け処理の一例を説明する。図８は、実施例１における関連付け処理の一例を説明するための図である。図８において、上の図は、図５で示した移動局領域管理部１３３であり、下の図は、図３で示した通信品質管理部１３１である。図８の上の図に示すように、移動局領域特定部１４２は、移動局領域管理部１３３を参照して、移動局識別子が「ａａａ」となるエントリにおいて、測定時刻が連続する同一のエリア番号「Ａ１」を検出する。この場合、移動局領域特定部１４２は、エリア番号「Ａ１」に対応する地域を移動局領域として特定する。このため、移動局領域特定部１４２は、測定時刻が連続する同一の移動局の２つの位置情報を含む地域、すなわち、エリア番号「Ａ１」に対応する地域が移動局領域として特定された旨を関連付け部１４３に通知する。
【００３９】
一方、関連付け部１４３は、エリア番号「Ａ１」に対応する地域が移動局領域として特定された旨の通知を移動局領域特定部１４２から受け付けたことを契機として、以下の処理を行う。すなわち、関連付け部１４３は、図８の上の図に示すように、移動局領域管理部１３３を参照して、エリア番号「Ａ１」と、エリア番号「Ａ１」に対応する移動局識別子「ａａａ」及び連続する測定時刻「12:26:23」，「12:28:35」とを取得する。続いて、関連付け部１４３は、図８の下の図に示すように、通信品質管理部１３１を参照して、移動局領域管理部１３３から取得した移動局識別子「ａａａ」と合致するエントリを検索する。関連付け部１４３は、検索されたエントリのうち測定時刻が「12:26:23」〜「12:28:35」の間に存在するエントリを特定する。関連付け部１４３は、特定したエントリの通信速度「６５０」ｋｂｐｓを通信品質管理部１３１から取得し、取得した通信速度「６５０」ｋｂｐｓをエリア番号「Ａ１」に関連付けて通信品質分布管理部１３４に格納する。さらに、関連付け部１４３は、特定したエントリの測定時刻「12:27:22」をエリア番号「Ａ１」に関連付けて通信品質分布管理部１３４に格納し、サンプル数をインクリメントする。
【００４０】
なお、関連付け部１４３は、移動局領域に通信品質（通信速度）が既に関連付けられている場合、すなわち、通信品質分布管理部１３４のサンプル数が０以外である場合には、以下の処理を行う。すなわち、関連付け部１４３は、通信速度の平均値を算出し、算出した通信速度の平均値を通信品質分布管理部１３４の通信速度に格納する。通信速度の平均値は、以下の式（２）を用いて算出される。
【００４１】
Ｓ１＝（（Ｓａ×Ｎ）＋Ｓｎｅｗ）／（Ｎ＋１）    ・・・  （２）
ただし、
Ｓ１：通信速度の平均値（ｂｐｓ）
Ｓａ：前回算出された通信速度の平均値（ｂｐｓ）
Ｎ：サンプル数（Ｎ＞０）
Ｓｎｅｗ：通信品質管理部１３１から今回抽出された通信速度（ｂｐｓ）
【００４２】
図２の説明に戻る。通信品質表示部１４４は、通信品質分布管理部１３４に格納された情報に基づいて、所定の表示部に対する表示画面を生成する。具体的には、通信品質表示部１４４は、複数の移動局領域に対応する地図上の複数の地域に、関連付け部１４３によって移動局領域ごとに関連付けられた通信品質を表示する表示画面を生成する。図９は、実施例１における通信品質表示部によって生成された表示画面の一例を示す図である。
【００４３】
例えば、通信品質表示部１４４は、図６に示した通信品質分布管理部１３４に格納された情報に基づいて、図９に示すような表示画面を生成する。すなわち、通信品質表示部１４４は、複数の移動局領域「Ａ１」〜「Ａ９」に対応する地図上の複数の地域に、関連付け部１４３によって移動局領域ごとに関連付けられた通信品質を表示する表示画面を生成する。例えば、通信品質分布管理部１３４は、移動局領域「Ａ１」に対応する地図上の地域に、移動局領域「Ａ１」に関連付けられた通信品質としての通信速度「６５０」ｋｂｐｓを表示する表示画面を生成する。また、例えば、通信品質分布管理部１３４は、移動局領域「Ａ２」に対応する地図上の地域に、移動局領域「Ａ２」に関連付けられた通信品質としての通信速度「３００」ｋｂｐｓを表示する表示画面を生成する。
【００４４】
通信品質送信部１４５は、関連付け部１４３によって移動局領域ごとに関連付けられた通信品質を外部装置に送信する。具体的には、通信品質送信部１４５は、通信品質分布管理部１３４に記憶された通信品質分布、すなわち、エリア番号、測定時刻、通信速度及びサンプル数の組みを通信品質として外部装置に送信する。なお、外部装置は、例えば、基地局２０や移動局３０等の通信システム１に含まれる各種の装置である。
【００４５】
次に、実施例１に係る通信品質測定装置を含む通信システムの動作を説明する。図１０は、実施例１に係る通信品質測定装置を含む通信システムの動作（通信品質算出時）を説明するためのシーケンス図である。
【００４６】
図１０に示すように、基地局２０と移動局３０との無線通信が実行されている際に（ステップＳ１０１）、通信品質測定装置１００の通信品質算出部１４１は、基地局２０から通信品質算出用情報を収集する（ステップＳ１０２）。
【００４７】
通信品質算出部１４１は、基地局２０から収集した通信品質算出用情報を用いて無線通信の通信品質を算出する（ステップＳ１０３）。本実施例では、通信品質算出部１４１は、無線通信の通信品質として、無線通信によって送受信されるデータの通信速度を算出する。
【００４８】
通信品質算出部１４１は、算出した通信速度を現時刻及び移動局の識別子とともに通信品質管理部１３１に格納する（ステップＳ１０４）。
【００４９】
図１１は、実施例１に係る通信品質測定装置を含む通信システムの動作（移動局領域特定時）を説明するためのシーケンス図である。
【００５０】
図１１に示すように、通信品質測定装置１００の移動局領域特定部１４２は、位置情報測定装置４０から移動局３０の位置情報を収集する（ステップＳ１１１）。移動局領域特定部１４２は、収集した移動局３０の位置情報を地図データ管理部１３２に通知する（ステップＳ１１２）。
【００５１】
地図データ管理部１３２は、移動局領域特定部１４２から通知された移動局３０の位置情報としての緯度及び経度を含む地域を探索する（ステップＳ１１３）。地図データ管理部１３２は、移動局３０の位置情報としての緯度及び経度を含む地域が探索された場合に、同地域のエリア番号を移動局領域特定部１４２に応答する（ステップＳ１１４）。
【００５２】
移動局領域特定部１４２は、移動局３０の位置情報としての緯度及び経度を含む地域のエリア番号の応答を地図データ管理部１３２から受け付ける。移動局領域特定部１４２は、移動局３０の位置情報とエリア番号とを対応付けて移動局領域管理部１３３に格納することによって、移動局領域を特定する（ステップＳ１１５）。
【００５３】
図１２は、実施例１に係る通信品質測定装置を含む通信システムの動作（関連付け処理時）を説明するためのシーケンス図である。
【００５４】
図１２に示すように、通信品質測定装置１００の移動局領域特定部１４２は、測定時刻が連続する同一の移動局の２つの位置情報を含む地域を移動局領域として特定する（ステップＳ１２１）。測定時刻が連続する同一の移動局の２つの位置情報を含む地域が移動局領域として特定されると、移動局領域特定部１４２は、同地域が移動局領域として特定された旨を関連付け部１４３に通知する（ステップＳ１２２）。
【００５５】
関連付け部１４３は、測定時刻が連続する同一の移動局の２つの位置情報を含む地域が移動局領域として特定された旨の通知を移動局領域特定部１４２から受け付ける。関連付け部１４３は、受け付けた通知を契機として、以下の処理を行う。すなわち、関連付け部１４３は、移動局領域管理部１３３を参照して、測定時刻が連続する同一の移動局の２つの位置情報を含む地域のエリア番号と、該エリア番号に対応する移動局識別子及び連続する測定時刻とを取得する（ステップＳ１２３）。
【００５６】
続いて、関連付け部１４３は、通信品質管理部１３１から通信速度を取得する（ステップＳ１２４）。すなわち、関連付け部１４３は、通信品質管理部１３１を参照して、取得した移動局識別子と合致するエントリを検索し、検索されたエントリのうち測定時刻が連続する測定時刻の間に存在するエントリを特定する。関連付け部１４３は、特定したエントリの通信速度を通信品質管理部１３１から取得する。
【００５７】
続いて、関連付け部１４３は、通信品質管理部１３１から取得した通信速度をステップＳ１２３にて取得したエリア番号に関連付けて通信品質分布管理部１３４に格納する（ステップＳ１２５）。
【００５８】
以上のように実施例１によれば、通信品質測定装置１００において、通信品質算出部１４１は、移動局３０との無線通信を行う基地局２０から通信品質算出用情報を収集し、収集した通信品質算出用情報を用いて通信品質を算出する。移動局領域特定部１４２は、位置情報測定装置４０から移動局３０の位置情報を収集し、収集した位置情報を用いて移動局３０の位置する移動局領域を特定する。関連付け部１４３は、移動局領域ごとに通信品質を関連付ける。これにより、通信品質を測定するための処理負荷を移動局側に負わせることを回避するとともに、無線通信の状態に応じた動的な通信品質の算出を行うことができる。結果として、移動局の処理負荷の増大を回避しつつ移動局の位置する領域ごとの通信品質を高精度に測定することが可能となる。
【実施例２】
【００５９】
次に、実施例２について説明する。実施例２に係る通信システムの構成は、図１に示した実施例１における通信システムの構成と同様である。図１３は、実施例２に係る通信品質測定装置の一例を示すブロック図である。図１３に示すように、実施例２では、実施例１と共通する構成要素には、同一の参照符号を用いると共に、その詳細な説明は省略する。実施例２が実施例１と異なる点は、関連付け処理の処理内容及び通信品質の表示手法である。具体的には、実施例１では、地図上の複数の地域の識別子に通信品質を関連付け、地図上の複数の地域ごとに通信品質を表示するものとした。これに対して、実施例２では、移動局の移動範囲の始点位置及び終点位置を含む図形領域の識別子に通信品質を関連付け、図形領域ごとに通信品質を表示する。
【００６０】
図１３に示すように、通信品質測定装置２００は、図２に示した記憶部１３０及び制御部１４０に代えて、記憶部２３０及び制御部２４０を有する。記憶部２３０は、通信品質管理部２３１、地図データ管理部１３２、移動局領域管理部２３３及び通信品質分布管理部２３４を有する。
【００６１】
通信品質管理部２３１は、移動局と基地局との無線通信の通信品質を記憶する。図１４は、実施例２における通信品質管理部の一例を示す図である。図１４に示すように、通信品質管理部２３１は、移動局識別子、測定時刻及び通信量を対応付けて記憶する。移動局識別子は、移動局を識別する識別子である。測定時刻は、移動局と基地局との無線通信の通信品質が測定（算出）された時刻である。通信量は、移動局と基地局との無線通信によって送受信されるデータの通信量である。通信量は、無線通信の通信品質の一例である。
【００６２】
例えば、図１４の１行目は、移動局識別子が「ａａａ」である移動局と基地局との無線通信の通信量が、時刻「12:05:36」において、「３」ｋｂｙｔｅであることを示す。
【００６３】
移動局領域管理部２３３は、移動局の位置する領域である移動局領域に関する情報を記憶する。図１５は、実施例２における移動局領域管理部の一例を示す図である。図１５に示すように、移動局領域管理部２３３は、移動局識別子、測定時刻、緯度、経度、移動範囲識別子及び図形領域識別子を対応付けて記憶する。移動局識別子は、移動局を識別する識別子である。測定時刻は、位置情報測定装置４０が移動局の位置情報を測定した時刻である。緯度は、移動局の位置情報としての緯度である。経度は、移動局の位置情報としての経度である。
【００６４】
移動範囲識別子は、移動局が始点となる地点から終点となる他の地点へ移動した場合の移動局の移動範囲を識別するための識別子である。ある地点の位置が移動局の移動範囲の始点位置となる場合には、移動範囲識別子にＳｘ（ｘは１以上の整数）が設定される。一方、ある地点の位置が移動局の移動範囲の終点位置となる場合には、移動範囲識別子にＥｘ（ｘは１以上の整数）が設定される。一組のＳｘ及びＥｘは、移動局の１つの移動範囲に相当する。
【００６５】
図形領域識別子は、移動範囲識別子によって識別される移動局の移動範囲の始点位置及び終点位置を含む図形領域を識別するための識別子である。図形領域は、移動局領域の一例である。なお、図形領域の詳細については、後に説明する。
【００６６】
例えば、図１５の１行目及び２行目は、移動局識別子が「ａａａ」である移動局が、始点位置「Ｓ１」から終点位置「Ｅ１」へ移動した場合に、移動局の移動範囲の始点位置及び終点位置を含む図形領域が「Ｐ」であることを示す。
【００６７】
通信品質分布管理部２３４は、移動局領域に関連付けられた通信品質を通信品質分布として記憶する。図１６は、実施例２における通信品質分布管理部の一例を示す図である。図１６に示すように、通信品質分布管理部２３４は、移動局識別子、測定時刻、緯度、経度、移動範囲識別子、図形領域識別子、通信量及び通信量密度を対応付けて記憶する。このうち、移動局識別子、測定時刻、緯度、経度、移動範囲識別子及び図形領域識別子は、図１５に示した移動局識別子、測定時刻、緯度、経度、移動範囲識別子及び図形領域識別子にそれぞれ対応する。
【００６８】
通信量は、移動局が移動範囲の始点位置から終点位置まで移動するまでの期間に、移動局と基地局との無線通信によって送受信されるデータの通信量である。通信量密度は、図形領域の単位面積当たりの通信量を示す。通信量密度は、通信品質密度の一例である。
【００６９】
例えば、図１６の１行目及び２行目は、移動局の移動範囲の始点位置「Ｓ１」及び終点位置「Ｅ１」を含む図形領域「Ｐ」の通信量が、移動局「ａａａ」が始点位置から終点位置まで移動する期間において、「３．５」ｋｂｙｔｅであることを示す。また、図１６の１行目及び２行目は、移動局の移動範囲の始点位置「Ｓ１」及び終点位置「Ｅ１」を含む図形領域「Ｐ」の通信量密度が、移動局「ａａａ」が始点位置から終点位置まで移動する期間において、「５０００」ｋｂｙｔｅ／ｍ２であることを示す。
【００７０】
制御部２４０は、通信品質算出部２４１、移動局領域特定部２４２、関連付け部２４３、通信品質表示部２４４及び通信品質送信部１４５を有する。
【００７１】
通信品質算出部２４１は、基地局通信Ｉ／Ｆ部１１０を介して基地局２０から通信品質算出用情報を収集する。具体的には、通信品質算出部２４１は、基地局により終端されるＲＬＣレイヤを監視し、通信品質算出用情報を所定の測定時間の間にＲＬＣレイヤから収集する。通信品質算出用情報は、例えば、移動局の識別子、ＡＣＫ応答を受信したＲＬＣ  ＰＤＵ（Protocol  Data  Unit）中のＵ−Ｐｌａｎｅの総データ量等である。
【００７２】
通信品質算出部２４１は、基地局２０から収集した通信品質算出用情報を用いて無線通信の通信品質を算出する。本実施例では、通信品質算出部２４１は、無線通信の通信品質として、無線通信によって送受信されるデータの通信量を算出する。ここで、所定の測定時間「Ｔ」ｓｅｃの間に基地局２０のＲＬＣレイヤから収集されたＵ−Ｐｌａｎｅの総データ量が「Ｍ」ｂｙｔｅであるものとする。通信品質算出部２４１は、測定時間「Ｔ」ｓｅｃが経過した時刻におけるＵ−Ｐｌａｎｅの総データ量を通信量として算出する。通信品質算出部２４１は、算出した通信量と現時刻とを移動局の識別子ごとに通信品質管理部２３１に格納する。
【００７３】
移動局領域特定部２４２は、位置情報測定装置通信Ｉ／Ｆ部１２０を介して位置情報測定装置４０から移動局３０の位置情報を収集する。具体的には、移動局領域特定部２４２は、移動局３０の位置情報としての緯度及び経度を、移動局３０の識別子予備位置情報の測定時刻とともに位置情報測定装置４０から収集する。そして、移動局領域特定部２４２は、収集した移動局３０の緯度及び経度と位置情報の測定時刻とを移動局３０の識別子ごとに移動局領域管理部２３３に格納する。
【００７４】
移動局領域特定部２４２は、収集した移動局３０の位置情報を用いて移動局領域を特定する。具体的には、移動局領域特定部２４２は、移動局３０の位置情報を移動局の移動範囲の始点位置として移動局領域管理部２３３に格納する。例えば、移動局領域特定部２４２は、移動局領域管理部２３３において、移動局３０の位置情報としての緯度及び経度に対応する移動範囲識別子に始点位置を示す「Ｓｘ」を設定する。その後、移動局領域特定部２４２は、移動局３０の位置情報を再度収集した場合には、移動局３０の位置情報を移動局の移動範囲の終点位置として移動局領域管理部２３３に格納する。例えば、移動局領域特定部２４２は、移動局領域管理部２３３において、移動局３０の位置情報としての緯度及び経度に対応する移動範囲識別子に終点位置を示す「Ｅｘ」を設定する。続いて、移動局領域特定部２４２は、測定時刻が連続する同一の移動局の２つの位置情報を移動局の移動範囲の始点位置及び終点位置として含む図形領域を生成し、生成した図形領域を移動局領域として特定する。移動局領域特定部２４２は、特定した図形領域の識別子を移動局領域管理部２３３に格納する。
【００７５】
ここで、移動局領域特定部２４２によって生成される図形領域の詳細について説明する。移動局領域特定部２４２によって生成される図形領域（以下単に「図形領域」という）は、移動局の行動範囲を可視化するための図形領域である。図形領域は、移動局の移動範囲の始点位置及び終点位置を含む領域であれば如何なる図形領域であってもよい。例えば、図形領域は、移動局の移動範囲の始点位置及び終点位置を互いに対向する二辺の中点位置として含む長方形領域である。また、例えば、図形領域は、移動局の移動範囲の始点位置及び終点位置を長軸の両端位置として含む楕円領域である。以下では、図形領域が移動局の移動範囲の始点位置及び終点位置を互いに対向する二辺の中点位置として含む長方形領域であるものとする。移動局領域特定部２４２は、移動局の移動範囲の始点位置及び終点位置と、テンプレートとなる図形領域である基準図形領域とに基づいて、移動局の移動範囲の始点位置及び終点位置を含む図形領域を生成する。
【００７６】
以下、図形領域の生成処理の一例について説明する。まず、移動局領域特定部２４２は、基準図形領域の面積を算出する。基本図形領域の一例を図１７に示す。基準図形領域は、移動局の移動範囲の始点位置「Ｓｘ」及び終点位置「Ｅｘ」を互いに対向する二辺の中点位置として含む長方形領域である。すなわち、基準図形領域は、移動局の使用者が歩く速度を６７（ｍ／ｍｉｎ）とし、移動局の所有者が歩いた時間をｔ（ｍｉｎ）とし、移動局の所有者が歩いた道幅を１０（ｍ）とした場合の移動局の移動範囲を可視化することによって得られる長方形領域である。かかる基準図形領域の面積は、以下の式（３）を用いて算出される。
【００７７】
Ｓｂａｓｉｃ＝６７×ｔ×１０    ・・・  （３）
ただし、
Ｓｂａｓｉｃ：基準図形領域の面積（ｍ２）
ｔ：始点位置「Ｓｘ」の位置情報の測定時刻と終点位置「Ｅｘ」の位置情報の測定時刻との差に相当する時間（ｍｉｎ）
【００７８】
続いて、移動局領域特定部２４２は、始点位置「Ｓｘ」と終点位置「Ｅｘ」との距離を算出する。始点位置「Ｓｘ」の（緯度，経度）を（Ｘｓ，Ｙｓ）とし、終点位置「Ｅｘ」の（緯度，経度）を（Ｘｅ，Ｙｅ）とすると、緯度の差ｉｄｏｓａ及び経度の差ｋｅｉｄｏｓａは、それぞれ以下の式（４）及び式（５）により表される。
【００７９】
ｉｄｏｓａ＝（π／１８０）×（Ｘｅ−Ｘｓ）    ・・・  （４）
ｋｅｉｄｏｓａ＝（π／１８０）×（Ｙｅ−Ｙｓ）    ・・・  （５）
ただし、Ｘｓ、Ｙｓ、Ｘｅ及びＹｅは、１０進法を用いて変換された値である。
【００８０】
始点位置「Ｓｘ」と終点位置「Ｅｘ」との南北方向の距離ｄｎｓ、及び東西方向の距離ｄｅｗは、それぞれ以下の式（６）及び式（７）により表される。
【００８１】
ｄｎｓ＝ｒ×ｉｄｏｓａ    ・・・  （６）
ｄｅｗ＝ｒ×ｋｅｉｄｏｓａ×ｃｏｓ（（π／１８０）×Ｘｅ）    ・・・  （７）
【００８２】
式（６）から得られたｄｎｓと、式（７）から得られたｄｅｗとを用いて、始点位置「Ｓｘ」と終点位置「Ｅｘ」との距離ｄは、以下の式（８）に示されるように、算出される。
【００８３】
【数１】
2014099772.tif 000003
【００８４】
続いて、移動局領域特定部２４２は、基準図形領域と面積が同一である長方形領域の幅、すなわち、移動局の移動範囲の始点位置「Ｓｘ」及び終点位置「Ｅｘ」を互いに対向する二辺の中点位置として含む長方形領域の幅ｗを算出する。すなわち、移動局領域特定部２４２は、以下の式（９）を用いて幅ｗを算出する。
【００８５】
ｗ＝Ｓｂａｓｉｃ／ｄ    ・・・  （９）
【００８６】
続いて、移動局領域特定部２４２は、幅ｗの大きさに応じて図形領域Ｐ及び図形領域Ｑのうちのいずれか一方を選択し、選択した図形領域を生成する。具体的には、移動局領域特定部２４２は、３≦ｗ≦３００が成立する場合には、図１８に示す図形領域Ｐを選択し、図形領域Ｐを生成する。図形領域Ｐは、移動局の移動範囲の始点位置「Ｓｘ」及び終点位置「Ｅｘ」を互いに対向する二辺の中点位置として含む長方形領域である。図形領域Ｐにおいて、横の長さはｄであり、縦の長さはｗである。また、移動局領域特定部２４２は、ｗ＞３００が成立する場合には、図１９に示す図形領域Ｑを選択し、図形領域Ｑを生成する。図形領域Ｑは、移動局の移動範囲の始点位置「Ｓｘ」及び終点位置「Ｅｘ」を対角線の両端とする正方形である。図形領域Ｑにおいて、対角線の長さはｄである。
【００８７】
また、移動局領域特定部２４２は、測定時刻が連続する同一の移動局の２つの位置情報を移動局の移動範囲の始点位置及び終点位置として含む図形領域が移動局領域として特定された場合に、その旨を関連付け部２４３に通知する。
【００８８】
図１３の説明に戻る。関連付け部２４３は、移動範囲の始点位置及び終点位置を含む図形領域が移動局領域として特定された旨の通知を移動局領域特定部２４２から受け付けると、この通知を契機として、同図形領域の識別子に通信品質を関連付ける。図形領域の識別子に関連付けられる通信品質には、通信量と通信量密度が含まれる。通信量とは、移動局が移動範囲の始点位置から終点位置まで移動するまでの期間に、移動局と基地局との無線通信によって送受信されるデータの通信量である。また、通信量密度は、通信量を図形領域の面積で除算することによって得られる値である。そして、関連付け部２４３は、同図形領域の識別子に関連付けられた通信品質を通信品質分布として通信品質分布管理部２３４に格納する。
【００８９】
ここで、移動局領域特定部２４２及び関連付け部２４３による関連付け処理の一例を説明する。移動局領域特定部２４２は、図１５に示す移動局領域管理部２３３を参照して、移動局識別子が「ａａａ」となるエントリにおいて、測定時刻が連続する２つの位置情報を移動局の移動範囲の始点位置「Ｓ１」及び終点位置「Ｅ１」として含む図形領域「Ｐ」を特定する。このため、移動局領域特定部２４２は、図形領域「Ｐ」が移動局領域として特定された旨を関連付け部２４３に通知する。
【００９０】
一方、関連付け部２４３は、図形領域「Ｐ」が移動局領域として特定された旨の通知を移動局領域特定部２４２から受け付けたことを契機として、以下の処理を行う。すなわち、関連付け部２４３は、移動局領域管理部２３３を参照して、図形領域「Ｐ」と、図形領域「Ｐ」に含まれる始点位置「Ｓ１」及び終点位置「Ｅ１」に対応する移動局識別子「ａａａ」と、連続する測定時刻「12:05:36」及び「12:27:22」とを取得する。続いて、関連付け部２４３は、図１４に示す通信品質管理部２３１を参照して、移動局領域管理部２３３から取得した移動局識別子「ａａａ」と合致するエントリを検索する。関連付け部２４３は、検索されたエントリのうち測定時刻が「12:05:36」及び「12:27:22」である２つのエントリを特定する。関連付け部２４３は、移動局が始点位置「Ｓ１」から終点位置「Ｅ１」まで移動するまでの期間「12:05:36」〜「12:27:22」に、移動局と基地局との無線通信によって送受信されるデータの通信量「３．５」ｋｂｙｔｅを算出する。関連付け部２４３は、算出した通信量「３．５」ｋｂｙｔｅを図形領域「Ｐ」に関連付けて通信品質分布管理部２３４に格納する。また、関連付け部２４３は、通信量「３．５」ｋｂｙｔｅを図形領域「Ｐ」の面積で除算することによって通信量密度「５０００」ｋｂｙｔｅ／ｍ２を算出する。関連付け部２４３は、算出した通信量密度「５０００」ｋｂｙｔｅ／ｍ２を図形領域「Ｐ」に関連付けて通信品質分布管理部２３４に格納する。
【００９１】
図１３の説明に戻る。通信品質表示部２４４は、通信品質分布管理部２３４に格納された情報に基づいて、所定の表示部に対する表示画面を生成する。具体的には、通信品質表示部２４４は、関連付け部２４３によって図形領域の識別子に関連付けられた通信品質密度を通信品質密度の大きさに応じて変化する表示態様で図形領域上に表示する表示画面を生成する。図２０は、実施例２における通信品質表示部によって生成された表示画面の一例を示す図である。
【００９２】
例えば、通信品質表示部２４４は、図２０に示すように、通信品質分布管理部２３４に格納された通信品質密度としての通信量密度を、通信量密度の高低に応じて色が変化する表示態様で図形領域上に表示する表示画面を生成する。通信量密度の高低に応じて色が変化する表示態様とは、例えば、通信量密度が高いほど色が濃くなる表示態様である。
【００９３】
次に、実施例２に係る通信品質測定装置を含む通信システムの動作を説明する。図２１は、実施例２に係る通信品質測定装置を含む通信システムの動作（通信品質算出時）を説明するためのシーケンス図である。
【００９４】
図２１に示すように、基地局２０と移動局３０との無線通信が実行されている際に（ステップＳ２０１）、通信品質測定装置２００の通信品質算出部２４１は、基地局２０から通信品質算出用情報を収集する（ステップＳ２０２）。
【００９５】
通信品質算出部２４１は、基地局２０から収集した通信品質算出用情報を用いて無線通信の通信品質を算出する（ステップＳ２０３）。本実施例では、通信品質算出部２４１は、無線通信の通信品質として、無線通信によって送受信されるデータの通信量を算出する。
【００９６】
通信品質算出部２４１は、算出した通信量を現時刻及び移動局の識別子とともに通信品質管理部２３１に格納する（ステップＳ２０４）。
【００９７】
図２２は、実施例２に係る通信品質測定装置を含む通信システムの動作（移動局領域特定時）を説明するためのシーケンス図である。
【００９８】
図２２に示すように、通信品質測定装置２００の移動局領域特定部２４２は、位置情報測定装置４０から移動局３０の位置情報を収集する（ステップＳ２１１）。移動局領域特定部２４２は、収集した移動局３０の位置情報を移動局の移動範囲の始点位置として移動局領域管理部２３３に格納する（ステップＳ２１２）。
【００９９】
その後、移動局領域特定部２４２は、位置情報測定装置４０から移動局３０の位置情報を再度収集する（ステップＳ２１３）。移動局領域特定部２４２は、収集した移動局３０の位置情報を移動局の移動範囲の終点位置として移動局領域管理部２３３に格納する（ステップＳ２１４）。
【０１００】
続いて、移動局領域特定部２４２は、移動局の移動範囲の始点位置及び終点位置を含む図形領域を生成し、生成した図形領域を移動局領域として特定する（ステップＳ２１５）。移動局領域特定部２４２は、特定した図形領域の識別子を移動局領域管理部２３３に格納する（ステップＳ２１６）。
【０１０１】
図２３は、実施例２に係る通信品質測定装置を含む通信システムの動作（関連付け処理時）を説明するためのシーケンス図である。
【０１０２】
図２３に示すように、通信品質測定装置２００の移動局領域特定部２４２は、移動局領域管理部２３３を参照して、移動局の移動範囲の始点位置及び終点位置を含む図形領域を移動局領域として特定する（ステップＳ２２１）。移動局領域特定部２４２は、移動局の移動範囲の始点位置及び終点位置を含む図形領域が移動局領域として特定された旨を関連付け部２４３に通知する（ステップＳ２２２）。
【０１０３】
関連付け部２４３は、移動局の移動範囲の始点位置及び終点位置を含む図形領域が移動局領域として特定された旨の通知を移動局領域特定部２４２から受け付ける。関連付け部２４３は、受け付けた通知を契機として、以下の処理を行う。すなわち、関連付け部２４３は、移動局領域管理部２３３を参照して、図形領域の識別子と、図形領域に含まれる始点位置及び終点位置に対応する移動局識別子と、連続する測定時刻とを取得する（ステップＳ２２３）。
【０１０４】
続いて、関連付け部２４３は、通信品質管理部２３１から通信量を取得する（ステップＳ２２４）。すなわち、関連付け部２４３は、通信品質管理部２３１を参照して、移動局領域管理部２３３から取得した移動局識別子と合致するエントリを検索し、検索されたエントリのうち連続する測定時刻と一致する２つのエントリを特定する。関連付け部２４３は、移動局が始点位置から終点位置まで移動する期間に、移動局と基地局との無線通信によって送受信されるデータの通信量を算出（取得）する。
【０１０５】
続いて、関連付け部２４３は、ステップＳ２２４にて取得した通信量を図形領域の面積で除算することによって通信量密度を算出する（ステップＳ２２５）。
【０１０６】
続いて、関連付け部２４３は、ステップＳ２２５にて算出した通信量密度をステップＳ２２３にて取得した図形領域の識別子に関連付けて通信品質分布管理部２３４に格納する（ステップＳ２２６）。
【０１０７】
以上のように実施例２によれば、通信品質測定装置２００において、移動局領域特定部２４２は、移動局の移動範囲の始点位置及び終点位置を含む図形領域を移動局領域として特定する。関連付け部２４３は、移動局領域として特定された図形領域の識別子に通信品質を関連付ける。これにより、移動局の移動に追従した局所的な通信品質の管理を行うことができる。結果として、移動局の位置する領域ごとの通信品質をさらに高精度に測定することが可能となる。ひいては、通信品質測定装置２００の利用者が移動局の位置する領域ごとの通信品質を局所的に改善することが可能となる。
【０１０８】
なお、実施例１及び２の通信品質測定装置１００，２００は、次のようなハードウェア構成により実現することができる。図２４は、通信品質制御装置のハードウェア構成例を示す図である。通信品質測定装置１００，２００は、ハードウェアとしては、図２４に示す通信品質測定装置１００により実現される。すなわち、図２４に示すように、通信品質測定装置１００は、通信インタフェース１００ａ、通信インタフェース１００ｂ、ＣＰＵ（Central  Processing  Unit）１００ｃ、ＨＤＤ（Hard  Disk  Drive）１００ｄ及びメモリ１００ｅを有する。メモリ１００ｅは、例えば、ＳＤＲＡＭ等のＲＡＭ、ＲＯＭ、フラッシュメモリにより構成される。基地局通信Ｉ／Ｆ部１１０及び位置情報測定装置通信Ｉ／Ｆ部１２０は、それぞれ通信インタフェース１００ａ及び通信インタフェース１００ｂにより実現される。制御部１４０，２４０は、例えばＣＰＵ１００ｃにより実現される。記憶部１３０，２３０は、例えばＣＰＵ１００ｃ及びＨＤＤ１００ｄにより実現される。
【０１０９】
また、上記説明における各種の処理は、予め用意されたプログラムをＣＰＵ１００ｃに実行させることによっても実現できる。すなわち、制御部１４０，２４０によって実行される各処理に対応するプログラムが予めＨＤＤ１００ｄまたはメモリ１００ｅに記憶され、各プログラムがＣＰＵ１００ｃへ読み出されてプロセスとして機能してもよい。また、各プログラムは、必ずしも予めＨＤＤ１００ｄまたはメモリ１００ｅに記憶される必要はない。すなわち、例えば、通信品質測定装置１００に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムがＣＰＵ１０ｂへ読み出されてプロセスとして機能してもよい。また例えば、インターネット、ＬＡＮ、ＷＡＮ等を介して無線または有線により通信品質測定装置１００に接続されるコンピュータまたはサーバ等に各プログラムが予め記憶され、各プログラムがＣＰＵ１００ｃへ読み出されてプロセスとして機能してもよい。
【符号の説明】
【０１１０】
１  通信システム
２０  基地局
３０  移動局
４０  位置情報測定装置
１００、２００  通信品質測定装置
１３０、２３０  記憶部
１３１、２３１  通信品質管理部
１３２  地図データ管理部
１３３、２３３  移動局領域管理部
１３４、２３４  通信品質分布管理部
１４０、２４０  制御部
１４１、２４１  通信品質算出部
１４２、２４２  移動局領域特定部
１４３、２４３  関連付け部
１４４  通信品質表示部
１４５  通信品質送信部
【図１】
2014099772.tif 000004
【図２】
2014099772.tif 000005
【図３】
2014099772.tif 000006
【図４】
2014099772.tif 000007
【図５】
2014099772.tif 000008
【図６】
2014099772.tif 000009
【図７】
2014099772.tif 000010
【図８】
2014099772.tif 000011
【図９】
2014099772.tif 000012
【図１０】
2014099772.tif 000013
【図１１】
2014099772.tif 000014
【図１２】
2014099772.tif 000015
【図１３】
2014099772.tif 000016
【図１４】
2014099772.tif 000017
【図１５】
2014099772.tif 000018
【図１６】
2014099772.tif 000019
【図１７】
2014099772.tif 000020
【図１８】
2014099772.tif 000021
【図１９】
2014099772.tif 000022
【図２０】
2014099772.tif 000023
【図２１】
2014099772.tif 000024
【図２２】
2014099772.tif 000025
【図２３】
2014099772.tif 000026
【図２４】
2014099772.tif 000027